(57)【特許請求の範囲】
【請求項１】
枠体にドア、サッシ障子等を組み込んで成り、前記枠体は上枠、下枠および縦枠を備え、前記上枠または前記下枠は前記縦枠に端部を突き当てて接合し、前記端部が突き当てられる縦枠には室外側面部を残して切り欠くと共に、この切り欠いた部分に接合部材を接合して接合部分を形成し、この接合部分は、前記上枠または前記下枠に対して後退させ、この後退した接合部分と前記室外側面部とで水密部材の収容部を形成し、この収容部に前記水密部材を収容して前記枠同志を固着具により接合したことを特徴とする開口部装置。
【発明の詳細な説明】
【０００１】
【発明の属する技術分野】
本発明は、例えばスチール製のドア枠を備えた開口部装置に関する。
【０００２】
【従来の技術】
従来、マンション等の各戸の玄関ドアはスチール製の枠体にドアを組み込んで成り、前記枠体は外装品であるから枠体の各部を溶接により枠組み接合した状態で工場出荷が原則になっていた。しかしながら、この種のものは完成品出荷のため輸送効率が悪く、溶接後、サンダー仕上げのため作業者により仕上がり状態にばらつきがあり、外観安定性に欠けると共に、溶接の仕方によっては水密性が落ちる等の問題があった。これらを解消するために組立式のスチール製ドアサッシ枠が提案されている（例えば、特公昭５９−１９２３５号公報）。
【０００３】
【発明が解決しようとする課題】
しかしながら、従来の構成によれば、枠体の各接合部における水密性について問題があり、この水密性を増すために各接合部に水密部材を用いた場合には、当該水密部材が室外側面部に突出し、意匠性が劣り、しかも水密部材が突出することにより、外面塗装の仕上がり感に欠けるという問題があった。
【０００４】
そこで、本発明の目的は、上記課題を解消するため水密性の向上、且つ意匠性の向上等を図ることのできる開口部装置を提供することにある。
【０００５】
【課題を解決するための手段】
請求項１に記載の発明は、枠体にドア、サッシ障子等を組み込んで成り、前記枠体は上枠、下枠および縦枠を備え、前記上枠または前記下枠は前記縦枠に端部を突き当てて接合し、前記端部が突き当てられる縦枠には室外側面部を残して切り欠くと共に、この切り欠いた部分に接合部材を接合して接合部分を形成し、この接合部分は、前記上枠または前記下枠に対して後退させ、この後退した接合部分と前記室外側面部とで水密部材の収容部を形成し、この収容部に前記水密部材を収容して前記枠同志を固着具により接合したことを特徴とするものである。
【０００７】
この発明によれば、収容部に水密部材を収容して枠同志を固着具により接合しているので、水密性を向上させることができ、しかも一方の枠に他方の枠の端部を突き当てて接合し、少なくとも一方の枠の接合部分は、室外側面部を残して他方の枠に対して後退させているので、当該室外側面部の存在により室外側面部は面一になるので、外面の塗装が容易になる。
【０００８】
【発明の実施の形態】
以下、添付図面を参照して本発明の一実施の形態を詳細に説明する。
【０００９】
図１において、符号１は例えば玄関ドアを構成するスチール製の枠体を示している。この枠体１には複数の丁番３を介してドア、サッシ障子等の戸体５が開閉自在に取り付けられている。この戸体５は吊元側ＴＭを基準にして、戸先側ＴＳが矢印Ｙの方向に開閉される。符号７はノブである。
【００１０】
枠体１は上枠１１、下枠１３および縦枠１５，１７を備えており、この実施形態では、各枠１１，１３，１５，１７は組立式である。
【００１１】
吊元側ＴＭの接合部Ａについて説明すると、図２、図３に示すように組み立てられている。すなわち上枠１１の図中右端の開口端にはめねじ孔２１を有する接合部材２３が当該開口端と面一となるように嵌合され、当該開口端の内側に溶接により接合されている。一方、前記上枠１１の突き当てられる縦枠１５の上端面は、上枠１１側に突出する室外側面部１５ａを残して切り欠かれると共に、上枠１１の突き当てられる縦枠１５の上端面の裏面には孔２５のあいた接合部材２７が接合されて、そこには上枠１１に対する接合部分３１が形成されている。
【００１２】
この接合部分３１は上枠１１に対して後退しており、この後退した接合部分３１と室外側面部１５ａとによって例えばコーキングシーラー等から成る水密部材３３の収容部３５が形成されている。この収容部３５には水密部材３３が収容され、この水密部材３３は接合部材２７に対して、例えば両面粘着テープ等を用いて接着され、しかる後、枠１１，１５同志はドライバー等の工具を用いて例えばねじ等からなる固着具３７により接合されている。尚、図示は省略したが、枠体１の残りの三つの接合部Ｂ〜Ｄも同様の構成によって接合される。
【００１３】
この実施形態では、縦枠１５の上端面を切り欠くとき、上枠１１側に突出する室外側面部１５ａを残して切り欠くことが重要である。この室外側面部１５ａを残すことにより、枠１１，１５同志を接合した場合、室外側に水密部材３３が突出せず、この水密部材３３を覆い隠すことができるからである。
【００１４】
室外側面部１５ａを上枠１１側にどの程度突出させるかは、水密部材３３の板厚に応じて変化する。この実施形態では、水密部材３３の板厚が約０．５ｍｍであるので、水密部材３３の圧縮代を考慮した場合に、接合部材２７よりも約０．４ｍｍ程度上枠１１側に突出させればよい。この突出寸法が大きすぎると、上枠１１と縦枠１５とを突き当てて枠１１，１５同志を接合する場合、水密部材３３が圧着されずに水密性が低下するし、小さすぎると、枠１１，１５間に隙間があいて室外側に水密部材３３が露出する。この実施形態では、接合部材２７を用いることにより、この接合部材２７の面を基準にした室外側面部１５ａの突出量を管理すればよいので、前記突出寸法を簡単にほぼ正確に管理することができる。
【００１５】
この実施形態によれば、収容部３５に水密部材３３が収容されて枠１１，１５同志が固着具３７により接合されるので、水密性を向上させることができ、マンション等の各戸の玄関ドアに好適なものである。枠体は各部ばらばらの状態で工場から梱包出荷され、現場で組み立てられる。従って、従来のものに比べると、輸送効率は向上するし、溶接後のサンダー仕上げが不要になるので、外観安定性が向上する等の種々の効果が得られる。
【００１６】
またこの実施形態では、縦枠１５の接合部分３１は、室外側面部１５ａを残して上枠１１に対して後退させているので、当該室外側面部１５ａの存在により室外側面部１５ａにおける上枠１１と縦枠１５とは面一になるので、枠体１の外面の塗装が容易になる。通常、枠体１は塗装しない状態でマンション等の玄関に嵌め込まれ、マンションの内装工事等が完了した時点で塗装仕上げされる。これによれば、水密部材３３が室外側に突出することはなく、室外側面部１５ａによって覆い隠されるので、意匠性を向上させることができる。
【００１７】
以上、一実施形態に基づいて本発明を説明したが、本発明はこれに限定されるものでないことは明らかである。例えば前記の実施形態では接合部材２７を用いて接合部分３１を形成したが、部品点数を削減するため縦枠１５の上端面をプレスにより凹ませて接合部分を形成することは可能である。
【００１８】
【発明の効果】
請求項１に記載の発明によれば、収容部に水密部材を収容して枠同志を固着具により接合しているので、水密性を向上させることができ、しかも縦枠に上枠または下枠の端部を突き当てて接合し、端部が突き当てられる縦枠には室外側面部を残して切り欠くと共に、この切り欠いた部分に接合部材を接合して接合部分を形成し、この接合部分は、上枠または下枠に対して後退させているので、水密部材を収容部に収容することができ、水密部材が外から見えず、意匠性を向上させることができ、さらに、室外側面部の突出寸法の管理が簡単になる。
【図面の簡単な説明】
【図１】本発明による開口部装置の一実施形態を示す正面図である。
【図２】枠体の接合構造を示す斜視図である。
【図３】別の角度から見た枠体の接合構造を示す斜視図である。
【符号の説明】
１  枠体
５  戸体
１１  上枠
１３  下枠
１５，１７  縦枠
１５ａ  室外側面部
２３  接合部材
２７  接合部材
３３  水密部材
３５  収容部
【図１】
0003659774.tif 000002
【図２】
0003659774.tif 000003
【図３】
0003659774.tif 000004